(57)【特許請求の範囲】
【請求項１】
前壁部に前後方向に延びる端子収容室を有したフロントハウジングと、このフロントハウジングの端子収容室に連通するように前後方向に延びる端子収容室を有したリアハウジングと、前記フロントハウジングの前壁部と前記リアハウジングの前面側の間に組み付けられると共に、当該フロントハウジング及びリアハウジングの各端子収容室に収容された端子を仮係止位置から本係止位置に移動することで抜け止めするスペーサと、前記リアハウジングの後面側に組み付けられると共に、後壁部の内面側に備えられたマットシールにより前記端子から後方へ延びる電線をシールするシールハウジングとで構成されたコネクタであって、
前記フロントハウジングの前壁部の後方にフード部を形成し、前記リアハウジングの前面両側に保持部をそれぞれ形成し、この両側の保持部間に前記スペーサを前記仮係止位置と前記本係止位置とに切り換え自在に保持し、前記スペーサ及び前記リアハウジングを前記フロントハウジングのフード部内に後方より嵌め込んで組み付け自在にし、当該スペーサ及びリアハウジングを前記フロントハウジングのフード部内に嵌め込む途中で、前記リアハウジングの両側の保持部にそれぞれ形成された仮係止用のガイド及び本係止用のガイドと前記スペーサの両側にそれぞれ形成された仮係止用のガイド及び本係止用のガイドとを介して前記スペーサを前記本係止位置から前記仮係止位置に切り換え自在にし、かつ、前記リアハウジングの後面側に設けられた連結手段を介して前記シールハウジングを前記スペーサ及びリアハウジングの組み付け方向と同方向から組み付け自在にしたことを特徴とするコネクタ。
【請求項２】
請求項１記載のコネクタであって、
前記リアハウジングの両側の保持部に仮係止と本係止兼用のガイドをそれぞれ複数形成し、かつ、前記スペーサの両側に仮係止と本係止兼用のガイドをそれぞれ複数形成し、前記保持部の最下段に形成されたガイドを他の位置のガイドより前方に突出させる一方、前記スペーサの最下段に形成されたガイドの後方に傾斜部を形成し、前記保持部の最下段のガイドの先端が前記スペーサの最下段のガイドの傾斜部を押圧することで、前記スペーサ及び前記リアハウジングを前記フロントハウジングのフード部内に嵌め込む途中で、前記スペーサを前記本係止位置から前記仮係止位置に切り換えるようにしたことを特徴とするコネクタ。
【発明の詳細な説明】
【技術分野】
【０００１】
本発明は、ハウジングの端子収容室に収容された端子をスペーサで本係止して抜け止めするようにしたコネクタに関する。
【背景技術】
【０００２】
この種のコネクタとして、図９に示すものがある（例えば、特許文献１参照。）。
【０００３】
このコネクタ１は、図９に示すように、アウタハウジング２と、このアウタハウジング２の前面から前方に突出したフード部２ａ内に嵌め込まれるインナハウジング３と、インナハウジング３のキャビティ３ａ内に収容された端子４を抜け止めするリテーナ５とで構成されている。このリテーナ５はインナハウジング３の両側面を貫通するように形成されたリテーナ挿入孔３ｂより挿入されるようになっている。
【先行技術文献】
【特許文献】
【０００４】
【特許文献１】特開平１１−９７０９６号公報
【発明の概要】
【発明が解決しようとする課題】
【０００５】
しかしながら、前記従来のコネクタ１では、インナハウジング３のアウタハウジング２のフード部２ａへの嵌合方向Ａと、インナハウジング３のリテーナ挿入孔３ｂへのリテーナ５の挿入方向Ｂとが異なって組み付け方向が複数あるため、コネクタ１を自動化により組み付けることができなかった。即ち、近年のコネクタの小型化に伴い、組付部品の組み付けを自動化する必要があるが、前記従来のコネクタ１では、組み付け方向が二方向あって一方向からの組み付けができないため、組み付けの自動化が難しかった。
【０００６】
そこで、本発明は、前記した課題を解決すべくなされたものであり、一方向からの組み付けが可能で、組み付けの自動化ができるコネクタを提供することを目的とする。
【課題を解決するための手段】
【０００７】
請求項１の発明は、前壁部に前後方向に延びる端子収容室を有したフロントハウジングと、このフロントハウジングの端子収容室に連通するように前後方向に延びる端子収容室を有したリアハウジングと、前記フロントハウジングの前壁部と前記リアハウジングの前面側の間に組み付けられると共に、当該フロントハウジング及びリアハウジングの各端子収容室に収容された端子を仮係止位置から本係止位置に移動することで抜け止めするスペーサと、前記リアハウジングの後面側に組み付けられると共に、後壁部の内面側に備えられたマットシールにより前記端子から後方へ延びる電線をシールするシールハウジングとで構成されたコネクタであって、前記フロントハウジングの前壁部の後方にフード部を形成し、前記リアハウジングの前面両側に保持部をそれぞれ形成し、この両側の保持部間に前記スペーサを前記仮係止位置と前記本係止位置とに切り換え自在に保持し、前記スペーサ及び前記リアハウジングを前記フロントハウジングのフード部内に後方より嵌め込んで組み付け自在にし、当該スペーサ及びリアハウジングを前記フロントハウジングのフード部内に嵌め込む途中で、前記リアハウジングの両側の保持部にそれぞれ形成された仮係止用のガイド及び本係止用のガイドと前記スペーサの両側にそれぞれ形成された仮係止用のガイド及び本係止用のガイドとを介して前記スペーサを前記本係止位置から前記仮係止位置に切り換え自在にし、かつ、前記リアハウジングの後面側に設けられた連結手段を介して前記シールハウジングを前記スペーサ及びリアハウジングの組み付け方向と同方向から組み付け自在にしたことを特徴とする。
【０００８】
請求項２の発明は、請求項１記載のコネクタであって、前記リアハウジングの両側の保持部に仮係止と本係止兼用のガイドをそれぞれ複数形成し、かつ、前記スペーサの両側に仮係止と本係止兼用のガイドをそれぞれ複数形成し、前記保持部の最下段に形成されたガイドを他の位置のガイドより前方に突出させる一方、前記スペーサの最下段に形成されたガイドの後方に傾斜部を形成し、前記保持部の最下段のガイドの先端が前記スペーサの最下段のガイドの傾斜部を押圧することで、前記スペーサ及び前記リアハウジングを前記フロントハウジングのフード部内に嵌め込む途中で、前記スペーサを前記本係止位置から前記仮係止位置に切り換えるようにしたことを特徴とする。
【発明の効果】
【０００９】
以上説明したように、請求項１の発明によれば、スペーサとリアハウジングをフロントハウジングのフード部内に嵌め込む途中で、リアハウジングの両側の保持部に形成された仮係止用のガイド及び本係止用のガイドとスペーサの両側に形成された仮係止用のガイド及び本係止用のガイドとを介してスペーサを本係止位置から仮係止位置に切り換えるようにしたことにより、フロントハウジングとスペーサとリアハウジング及びシールハウジングを一方向から簡単かつ確実に組み付けることができ、コネクタの組み付けを自動化することができる。また、一方向からの組み付け動作（１アクション）でスペーサを仮係止状態にすることができて、組み付け工程の簡素化を図ることができ、フロントハウジングとリアハウジングの各端子収容室に端子を迅速に収容することができる。さらに、コネクタの組み付け方向が一方向のみのため、組付部品の加工費を削減することができる。
【００１０】
請求項２の発明によれば、リアハウジングの両側の保持部に仮係止と本係止兼用のガイドを複数形成し、スペーサの両側に仮係止と本係止兼用のガイドを複数形成し、保持部の最下段に形成されたガイドを他の位置のガイドより前方に突出させる一方、スペーサの最下段に形成されたガイドの後方に傾斜部を形成し、保持部の最下段のガイドの先端がスペーサの最下段のガイドの傾斜部を押圧するようにしたので、スペーサとリアハウジングをフロントハウジングのフード部内に嵌め込む途中で、スペーサを本係止位置から仮係止位置に自動的に切り換えることができる。これにより、コネクタの組み付け完了時に、スペーサが仮係止状態になっているため、フロントハウジングとリアハウジングの各端子収容室に端子を簡単に収容することができる。また、簡単な構造により、スペーサを仮係止位置から本係止位置に切り換えることができ、端子を確実に抜け止めすることができる。
【図面の簡単な説明】
【００１１】
【図１】本発明の一実施形態のコネクタの組み付け前の状態を示す斜視図である。
【図２】上記コネクタの組み付け前の断面図である。
【図３】上記コネクタに用いられるスペーサの一側部の仮係止用と本係止用のガイド周辺の拡大斜視図である。
【図４】上記コネクタに用いられるリアハウジングの一方の保持部の拡大斜視図である。
【図５】（ａ）は上記スペーサとリアハウジングの組み付け前の模式説明図、（ｂ）は上記スペーサとリアハウジングをフロントハウジングのフード部内に嵌め込んだ状態を示す模式説明図、（ｃ）は上記スペーサとリアハウジングをフロントハウジングのフード部内に嵌め込んで組み付ける途中の状態を示す模式説明図、（ｄ）は上記スペーサとリアハウジングをフロントハウジングのフード部内に嵌め込んで組み付けた状態を示す模式説明図である。
【図６】上記コネクタを組み付けて上記スペーサが仮係止位置にある時に、電線を挿入する前の状態を示す断面図である。
【図７】（ａ）は仮係止時のスペーサのガイドとリアハウジングのガイドの位置関係を示す説明図、（ｂ）は仮係止位置から本係止位置に切り換える途中のスペーサのガイドとリアハウジングのガイドの位置関係を示す説明図、（ｃ）は本係止時のスペーサのガイドとリアハウジングのガイドの位置関係を示す説明図である。
【図８】上記コネクタの組み付け完了時でスペーサが本係止位置にある状態を示す断面図である。
【図９】従来のコネクタの分解斜視図である。
【発明を実施するための形態】
【００１２】
以下、本発明の一実施形態を図面に基づいて説明する。
【００１３】
図１は本発明の一実施形態のコネクタの組み付け前の状態を示す斜視図、図２はコネクタの組み付け前の断面図、図３はコネクタに用いられるスペーサの一側部の仮係止用と本係止用のガイド周辺の拡大斜視図、図４はコネクタに用いられるリアハウジングの一方の保持部の拡大斜視図、図５（ａ）はスペーサとリアハウジングの組み付け前の模式説明図、図５（ｂ）はスペーサとリアハウジングをフロントハウジングのフード部内に嵌め込んだ状態を示す模式説明図、図５（ｃ）はスペーサとリアハウジングをフロントハウジングのフード部内に嵌め込んで組み付ける途中の状態を示す模式説明図、図５（ｄ）はスペーサとリアハウジングをフロントハウジングのフード部内に嵌め込んで組み付けた状態を示す模式説明図、図６はコネクタを組み付けて上記スペーサが仮係止位置にある時に、電線を挿入する前の状態を示す断面図、図７（ａ）は仮係止時のスペーサのガイドとリアハウジングのガイドの位置関係を示す説明図、図７（ｂ）は仮係止位置から本係止位置に切り換える途中のスペーサのガイドとリアハウジングのガイドの位置関係を示す説明図、図７（ｃ）は本係止時のスペーサのガイドとリアハウジングのガイドの位置関係を示す説明図、図８はコネクタの組み付け完了時でスペーサが本係止位置にある状態を示す断面図である。
【００１４】
図１，図２，図６に示すように、コネクタ１０は、前壁部１２に前後方向に延びる複数の端子収容室１４を有した合成樹脂製のフロントハウジング１１と、このフロントハウジング１１の各端子収容室１４に連通するように前後方向に延びる複数の端子収容室２１を有した合成樹脂製のリアハウジング２０と、フロントハウジング１１の前壁部１２とリアハウジング２０の前面２０ａ側の間に組み付けられると共に、フロントハウジング１１の各端子収容室１４とリアハウジング２０の各端子収容室２１に収容された丸形の端子６０を一次係止位置（仮係止位置）から二次係止位置（本係止位置）に移動することで抜け止めする合成樹脂製のスペーサ３０と、リアハウジング２０の後面２０ｂ側に組み付けられると共に、後壁部４２の内面４２ａ側に備えられたゴム製のマットシール５０により丸形の端子６０から後方へ延びる電線６５をシールする合成樹脂製のシールハウジング４０とで構成されている。
【００１５】
図１，図２に示すように、フロントハウジング１１は、角形ブロック状の前壁部１２と、この前壁部１２の後面１２ｂから後方に一体突出形成された四角筒状のフード部１３とを有している。前壁部１２には前後方向に延びる複数の端子収容室１４を形成してある。この各端子収容室１４には、丸形の端子６０の円筒状の電気接続部６１を収容するようになっている。そして、前壁部１２の前面１２ａの各端子収容室１４に対向する位置には、図示しない相手側コネクタの端子が挿入される端子挿入口１５を複数形成してある。また、フード部１３の前壁部１２の後面１２ｂの真下には、矩形のスペーサ出入口１６を形成してある。さらに、フード部１３の両側壁の内面１３ａには、その開口端１３ｂ側から前壁部１２の後面１２ｂまで平行に延びる溝状の凹部１７を上段と中段と下段にそれぞれ形成してあり、この溝状の各凹部１７にはテーパ面１８ａを有した係合突起１８を一体突出形成してある。
【００１６】
図１，図２に示すように、リアハウジング２０は角形ブロック状に形成されいて、その前面２０ａから後面２０ｂにかけてフロントハウジング１１の各端子収容室１４に連通するように複数の端子収容室２１を形成してある。この各端子収容室２１には、丸形の端子６０の導体加締部６３と被覆加締部６４を収容するようになっている。また、各端子収容室２１の前面２０ａ側には丸形の端子６０の係合凹部６２の上側を一次係止するランス（可撓性係止腕）２２を一体突出形成してある。さらに、リアハウジング２０の両側面２０ｃ，２０ｃのフロントハウジング１１の各係合突起１８に対向する位置には、該各係合突起１８に係止される係止突起２３を一体突出形成してある。
【００１７】
また、図１，図４に示すように、リアハウジング２０の前面２０ａの両側には一対の保持部２４，２４を両側面２０ｃ，２０ｃより突出するようにそれぞれ一体形成してあり、この一対の保持部２４，２４間にスペーサ３０を一次係止位置（仮係止位置）と二次係止位置（本係止位置）とに切り換え自在に保持してある。即ち、各保持部２４はスリット２４ａを介して上段、中段、下段の３箇所に分かれていて、図１中右側の保持部２４の上段と中段の内面、及び、左側の保持部２４の中段と下段の内面には、前後方向に平行に延びる一次係止（仮係止）と二次係止（本係止）を兼用した３つの山形の係止突起（ガイド）２５，２５，２５′をそれぞれ一体突出形成してある。この各保持部２４の最下段に位置する係止突起２５′は、他の位置の２つの係止突起２５，２５よりもその先端２５ａが前方に突出するように形成されている。そして、これら各係止突起２５，２５′と後述するスペーサ３０の各係止突起３４，３４′の係止位置を変えることで、スペーサ３０の一次係止位置と二次係止位置を切り換えることができるようになっている。
【００１８】
また、リアハウジング２０の後面２０ｂには外側に突出した環状の鍔部２６を一体突出形成してあり、スペーサ３０が二次止位置でリアハウジング２０の一対の保持部２４，２４間に保持された状態でスペーサ３０と共にリアハウジング２０をフロントハウジング１１のフード部１３内に後方より嵌め込んで組み付けた時に、図６に示すように、リアハウジング２０の鍔部２６がフロントハウジング１１のフード部１３の開口端１３ｂに当たるようになっている。この時、フロントハウジング１１のフード部１３の各係合突起１８にリアハウジング２０の両側の各係止突起２３が係止して、両者の組み付け状態がロックされるようになっている。
【００１９】
さらに、リアハウジング２０の後面２０ｂの四隅には、棒状の係止腕（連結手段）２７を一体突出形成してある。この各係止腕２７を介してシールハウジング４０をスペーサ３０及びリアハウジング２０の組み付け方向と同方向からリアハウジング２０の後面２０ｂに組み付けることができるようになっている。
【００２０】
図１，図２に示すように、スペーサ３０は矩形板状に形成してあり、その後面３０ｂに格子状のリブ３１を一体突出形成してある。また、スペーサ３０のリアハウジング２０の各端子収容室２１に対向する位置には、二次係止時に丸形の端子６０の係合凹部６２の下側を係止する丸形の係止孔３２を前面３０ａから後面３０ｂにかけて段差状になって貫通するように複数形成してある。
【００２１】
さらに、図１，図３に示すように、スペーサ３０の両側面３０ｃ，３０ｃには上下各一対の弾性片部３３，３３を一体突出形成してある。この各一対の弾性片部３３，３３の外面には、リアハウジング２０の各保持部２４の各係止突起２５，２５′に係止・離脱される一次係止（仮係止）と二次係止（本係止）を兼用した３つの山形の係止突起（ガイド）３４，３４，３４′をそれぞれ一体突出形成してある。このスペーサ３０各弾性片部３３の最下段に位置するガイド３４′の後方（中央から後側）には、下側へ斜めに傾斜する傾斜部３４ａを形成してある。そして、図７（ａ）〜図７（ｃ）に示すように、スペーサ３０の各弾性片部３３が内側に、リアハウジング２０の各保持部２４が外側に弾性変形することにより、各ガイド２５，２５′，３４，３４′の係止・離脱を介してスペーサ３０をリアハウジング２０に対して一次係止位置と二次止位置とに切り換えることができるようになっている。
【００２２】
また、図５（ｂ）〜図５（ｄ）に示すように、コネクタ１０の組み付け時のスペーサ３０とリアハウジング２０をフロントハウジング１１のフード部１３内に嵌め込む途中で、各保持部２４の最下段の係止突起２５′の先端２５ａがスペーサ３０の各弾性片部３３の最下段の係止突起３４′の傾斜部３４ａを押圧することで、コネクタ１０の組み付け完了時に、スペーサ３０を二次係止位置から一次係止位置に自動的に切り換えるようにしてある。
【００２３】
図１，図２，図６に示すように、シールハウジング４０は、四角筒状のフード部４１と、このフード部４１の後端開口を覆う矩形板状の後壁部４２とを備えており、フード部４１内にスペーサ３０とリアハウジング２０を嵌め込んだフロントハウジング１１のフード部１３の後半部を収容できるようになっている。このシールハウジング４０の後壁部４２のリアハウジング２０の各端子収容室２１に対向する位置には、丸形の端子６０を挿入する端子挿入孔４３を複数形成してある。また、シールハウジング４０の後壁部４２のリアハウジング２０の各係止腕２７に対向する位置には、該各係止腕２７が挿入されて係止される連結孔４４を複数形成してある。
【００２４】
さらに、シールハウジング４０の後壁部４２の内面４２ａには、ゴム製で肉厚板状のマットシール５０を二色成形やインサート成形等により一体に形成してある。このマットシール５０には、丸形の端子６０に接続された電線６５が挿通されてシールされる電線挿通孔５１を複数形成してある。また、マットシール５０の外周部にはシールリップ５２を一体突出形成してある。このマットシール５０のシールリップ５２により、シールハウジング４０のフード部４１とスペーサ３０とリアハウジング２０を嵌め込んだフロントハウジング１１のフード部１３との間に挿入されて嵌め込まれる図示しない相手側コネクタのフード部をシールするようになっている。
【００２５】
以上実施形態のコネクタ１０によれば、図５（ａ），（ｂ）に示すように、スペーサ３０とリアハウジング２０をフロントハウジング１１のフード部１３内に後方より嵌め込むと、図５（ｃ）に示すように、リアハウジング２０の各保持部２４の最下段の係止突起２５′の先端２５ａがスペーサ３０の各弾性片部３３の最下段の係止突起３４′の傾斜部３４ａを押圧して、スペーサ３０が下方向へ押し下げられ、一方向の組み付け動作（１アクション）で自動的にスペーサ３０を仮係止状態にすることができる。これにより、コネクタ１０の組み付け完了時に、図６に示すように、フロントハウジング１１の端子収容室１４とリアハウジング２０の端子収容室２１に丸形の端子６０を迅速に収容することができる。
【００２６】
次に、図２に矢印で示すように、マットシール５０付きのシールハウジング４０を、スペーサ３０とリアハウジング２０及びフロントハウジング１１の組み付け方向と同方向からリアハウジング２０の後面２０ｂに係止腕２７を介して組み付ける。
【００２７】
そして、図６に示すように、コネクタ１０の組み付け完了時に、スペーサ３０が一次係止位置に降りているため、スペーサ３０の係止位置の切り換えをすることなく、丸形の端子６０をリアハウジング２０の端子収容室２１とフロントハウジング１１の端子収容室１４に収容する。次に、スペーサ３０を図８に示す二次係止位置に押し上げることにより、リアハウジング２０の端子収容室２１とフロントハウジング１１の端子収容室１４に収容された丸形の端子６０の係合凹部６２の下側にスペーサ３０の係止孔３２が係止し、端子６０がスペーサ３０で二次係止されて抜け止めされる。
【００２８】
このように、スペーサ３０とリアハウジング２０をフロントハウジング１１のフード部１３内に嵌め込む途中で、リアハウジング２０の両側の各保持部２４の最下段の係止突起２５′の先端２５ａでスペーサ３０の各弾性片部３３の最下段の係止突起３４′の傾斜部３４ａを押圧することで、スペーサ３０を二次係止位置から一次係止位置に自動的に切り換えることができるため、フロントハウジング１１とスペーサ３０とリアハウジング２０及びシールハウジング４０を一方向から簡単かつ確実に組み付けることができ、コネクタ１０の組み付けを自動化することができる。これにより、一方向の組み付け動作（１アクション）でスペーサ３０を一次係止状態にすることができて、組み付け工程の簡素化を図ることができ、また、フロントハウジング１１の端子収容室１４とリアハウジング２０の端子収容室２１に丸形の端子６０を簡単に収容することができる。さらに、コネクタ１０の組み付け方向が一方向のみのため、組付部品の加工費を削減することができる。
【００２９】
さらに、リアハウジング２０の各係止突起２５，２５′及びスペーサ３０の各係止突起３４，３４′を一次係止と二次係止の兼用としたことにより、簡単な構造により、スペーサ３０の一次係止位置と二次係止位置との切り換えを確実に行うことができると共に、フロントハウジング１１の端子収容室１４とリアハウジング２０の端子収容室２１に収容された丸形の端子６０の抜け止めを確実に行うことができる。
【００３０】
尚、前記実施形態によれば、端子として電気接続部が円筒状の丸形の端子を用いたが、電気接続部が四角筒状の角形の端子を用いても良い。
【符号の説明】
【００３１】
１０  コネクタ
１１  フロントハウジング
１２  前壁部
１３  フード部
１４  端子収容室
２０  リアハウジング
２０ａ  前面
２０ｂ  後面
２１  端子収容室
２４，２４  両側の保持部
２５  係止突起（仮係止と本係止兼用のガイド）
２５′  最下段の係止突起（仮係止と本係止兼用の最下段のガイド）
２５ａ  先端
２７  係止腕（結合手段）
３０  スペーサ
３４  係止突起（仮係止と本係止兼用のガイド）
３４′  最下段の係止突起（仮係止と本係止兼用の最下段のガイド）
３４ａ  傾斜部
４０  シールハウジング
４２  後壁部
４２ａ  内面  
５０  マットシール
６０  丸形の端子（端子）
６５  電線
【図１】
0005524789.tif 000002
【図２】
0005524789.tif 000003
【図３】
0005524789.tif 000004
【図４】
0005524789.tif 000005
【図５】
0005524789.tif 000006
【図６】
0005524789.tif 000007
【図７】
0005524789.tif 000008
【図８】
0005524789.tif 000009
【図９】
0005524789.tif 000010